(57)【要約】【課題】  視聴中の番組情報を記録したい場合に、動画、静止画、音声のいずれかを選択して瞬時に記録し、かつ再生することができる情報記録再生装置を提供する。【解決手段】  受信機本体に動画像と静止画像と音声の記録領域をそれぞれ有する記録媒体を配置し、動画、静止画及び音声の記録指示を行うため、それぞれ記録操作用のスイッチを設けるとともに、それらに対応してそれぞれ再生操作用のスイッチを設ける。記録操作用のスイッチの操作に応答して、記録媒体のそれぞれの記録領域に動画像、静止画像及び音声信号のデータを記録することができ、再生操作用のスイッチの操作に応答して、記録媒体に記録された対応するデータを読み出して再生することができる。【選択図】    図１
2006352485.tif 000002
【特許請求の範囲】
【請求項１】
入力された画像情報及び音声信号のデータを記録するため、前記画像情報の動画像又は静止画像の少なくとも一方の画像データを記録可能な画像記録領域と、音声データを記録可能な音声記録領域とを有する記録媒体と、
前記記録媒体に対して画像データ又は音声データの記録を指示するため、それぞれ個別に設けた記録操作用のスイッチと、前記記録媒体に記録した画像データ及び音声データの再生を指示するため、それぞれ個別に設けた再生操作用のスイッチとを有する操作手段と、
前記記録操作用のスイッチの操作に応答して、前記記録媒体のそれぞれの記録領域に画像データ又は音声データを記録するとともに、前記再生操作用のスイッチの操作に応答して、前記記録媒体に記録された画像データ又は音声データを読み出すコントローラと、
前記記録媒体から読み出されたデータをもとに画像情報及び音声信号を再生する再生手段とを具備したことを特徴とする情報記録再生装置。
【請求項２】
前記記録媒体の画像記録領域は、動画像及び静止画像のデータをそれぞれ記録可能な動画像記録領域と、静止画像記録領域を有することを特徴とする請求項１記載の情報記録再生装置。
【請求項３】
前記記録媒体はＨＤＤであることを特徴とする請求項１記載の情報記録再生装置。
【請求項４】
前記コントローラは、前記記録媒体に画像データ又は音声データを記録する際に、前記記録操作用のスイッチが操作された時に、それよりも所定期間遡った時点からのデータを記録するように制御することを特徴とする請求項１記載の情報記録再生装置。
【請求項５】
前記コントローラは、前記記録操作用のスイッチが操作された時から前記記録媒体へデータの記録を開始し、予め設定された時間が経過した時点で自動的に記録処理を中止するように制御することを特徴とする請求項１記載の情報記録再生装置。
【請求項６】
前記コントローラは、前記記録媒体の画像記録領域の記録容量が不足する場合は、古い記録データを削除し最新の画像データを記録するように制御することを特徴とする請求項１記載の情報記録再生装置。
【請求項７】
さらに前記記録媒体から読み出されたデータを転送する手段を備え、前記再生手段は転送されたデータを受信して再生することが可能な端末装置であることを特徴とする請求項１記載の情報記録再生装置。
【請求項８】
前記転送手段は無線送信手段を有し、前記無線送信された信号を携帯端末で受信可能にしたことを特徴とする請求項７記載の情報記録再生装置。
【請求項９】
前記転送手段によるデータの転送は、前記記録媒体への画像データ又は音声データの記録処理が終了した時点で自動的に行われるように設定可能であることを特徴とする請求項７記載の情報記録再生装置。
【請求項１０】
前記記録操作用と前記再生操作用のスイッチを、スライドスイッチで兼用し、前記スライドスイッチは複数の位置間でスライド可能であり、スライドスイッチの位置に応じて記録又は再生を指示するようにしたことを特徴とする請求項１記載の情報記録再生装置。
【請求項１１】
前記記録操作用と前記再生操作用のスイッチを、複数の操作部を有するカーソルキー型のスイッチで兼用し、前記操作部の操作に応じて記録又は再生を指示するようにしたことを特徴とする請求項１記載の情報記録再生装置。
【請求項１２】
テレビジョン信号を受信して画像情報及び音声信号を復調するデコーダと、
前記画像情報及び音声信号のデータを記録可能であって、動画像の記録領域と静止画像の記録領域、及び音声信号の記録領域を有する記録媒体と、
前記記録媒体に対して、動画像、静止画像及び音声信号のデータの記録を指示するため、それぞれ個別に設けた記録操作用のスイッチと、前記記録媒体に記録した動画像、静止画像及び音声信号のデータの再生を指示するため、それぞれ個別に設けた再生操作用のスイッチとを有する操作手段と、
前記記録操作用のスイッチの操作に応答して、前記記録媒体のそれぞれの記録領域に動画像、静止画像データ及び音声データを記録するとともに、前記再生操作用のスイッチの操作に応答して、前記記録媒体に記録された対応するデータを読み出すメモリコントローラと、
前記記録媒体から読み出されたデータをもとに画像情報及び音声信号を再生するディスプレイ及びスピーカを含む再生部と、を具備したことを特徴とするテレビジョン受像機。
【請求項１３】
前記操作手段における記録操作用のそれぞれのスイッチを前記テレビジョン受像機の前面部に設け、前記テレビジョン受像機を操作するリモートコントローラに前記再生操作用のそれぞれのスイッチを設けたことを特徴とする請求項１２記載のテレビジョン受像機。
【請求項１４】
前記記録媒体はＨＤＤであることを特徴とする請求項１２記載のテレビジョン受像機。
【請求項１５】
さらに前記記録媒体から読み出されたデータを転送する手段を備え、転送されたデータを前記テレビジョン受像機に接続される端末装置で再生可能にしたことを特徴とする請求項１２記載のテレビジョン受像機。
【請求項１６】
前記転送手段は無線送信手段を有し、前記無線送信されたデータを携帯端末で受信可能にしたことを特徴とする請求項１５記載のテレビジョン受像機。
【請求項１７】
前記転送手段によるデータの転送は、前記記録媒体への画像データ又は音声データの記録処理が終了した時点で自動的に行われるように設定可能であることを特徴とする請求項１５記載のテレビジョン受像機。
【発明の詳細な説明】
【技術分野】
【０００１】
本発明は、画像情報及び音声信号の記録再生装置に係り、ＨＤＤ等の記録媒体に動画像、静止画像、及び音声信号データを簡単な操作で記録可能とし、かつ任意に再生処理することができる情報記録再生装置及びテレビジョン受像機に関する。
【背景技術】
【０００２】
従来、テレビジョン信号を記録・再生する装置としてビデオテープレコーダ（ＶＴＲ）やＤＶＤレコーダが一般的に知られており、動画像の保存や音声信号の記録用に使用されている。しかしながら、このような記録・再生装置では、放送信号を記録する場合、チューナでチャンネル設定を行い、そのあとで録画を行うか、予約による録画が一般的であるため、テレビジョン受像機で放送番組を視聴している祭に、録画したい場面が表示されたときに瞬時に録画することができないという不都合がある。特に、料理番組のレシピや懸賞応募の電話番号や住所の表示は、短時間しか表示されないため、録画のタイミングが遅れてしまい、肝心な場面を録画できないことがあった。
【０００３】
このような不都合を解消するため、例えば特許文献１には、録画したい画面をワンタッチで迅速に録画することができるテレビジョン映像記録装置が記載されている。この特許文献１では、記録釦、再生釦等を有し、記録釦を瞬間的に押すことでその瞬間の静止画像を記録でき、また記録釦を長い時間押すことで動画像を記録できるようにしている。
【０００４】
また、特許文献２には、瞬時記録ボタンや瞬時再生ボタンを有するテレビジョン受像機が記載されており、テレビジョン受像機に接続された記憶装置に動画像や静止画像を記録できるようにしている。この例でも記録ボタンを瞬時に押したときは静止画像の記録ができ、記録ボタンを押し続けると押されている期間の画像が記録されるようにしている。
【０００５】
しかしながら、記録ボタンを静止画用及び動画用に兼用した場合、視聴者は動画像を記録したい場合に長い時間ボタンを押す必要があり、ボタンの操作を誤ると動画像を記録したつもりが静止画像しか記録されていないということもあり、操作性の面でさらなる改善が求められている。さらに、静止画や動画だけでなく、音声信号を動画像や静止画と同時に記録したり、音声信号のみを瞬時に記録したいという場合もあり、従来の記録・再生装置では即座に対応できないという不具合があった。
【０００６】
【特許文献１】特開２０００−３３３１２１号公報
【特許文献２】特開平１１−１６４２５４号公報
【発明の開示】
【発明が解決しようとする課題】
【０００７】
従来の記録・再生装置では、放送番組を視聴中に、瞬時に記録したい場合に瞬時記録のボタンを静止画用と動画用で区分して操作する必要があり、操作性が悪いと言う欠点があった。また、音声信号を動画像や静止画と同時に記録したり、音声信号のみを瞬時に記録したい場合に即座に対応できなかった。
【０００８】
本発明は上記事情を考慮してなされたもので、視聴中の番組を保存したい場合に、動画、静止画、音声のいずれかを選択して瞬時に記録し、かつ再生することができる情報記録再生装置及びテレビジョン受像機を提供することを目的とする。
【課題を解決するための手段】
【０００９】
本願発明の情報記録再生装置は、入力された画像情報及び音声信号のデータを記録するため、前記画像情報の動画像又は静止画像の少なくとも一方の画像データを記録可能な画像記録領域と、音声データを記録可能な音声記録領域とを有する記録媒体と；前記記録媒体に対して画像データ又は音声データの記録を指示するため、それぞれ個別に設けた記録操作用のスイッチと、前記記録媒体に記録した画像データ及び音声データの再生を指示するため、それぞれ個別に設けた再生操作用のスイッチとを有する操作手段と；前記記録操作用のスイッチの操作に応答して、前記記録媒体のそれぞれの記録領域に画像データ又は音声データを記録するとともに、前記再生操作用のスイッチの操作に応答して、前記記録媒体に記録された画像データ又は音声データを読み出すコントローラと、：前記記録媒体から読み出されたデータをもとに画像情報及び音声信号を再生する再生手段とを具備したことを特徴とする。
【００１０】
また本発明のテレビジョン受像機は、テレビジョン信号を受信して画像情報及び音声信号を復調するデコーダと；前記画像情報及び音声信号のデータを記録可能であって、動画像の記録領域と静止画像の記録領域、及び音声信号の記録領域を有する記録媒体と；前記記録媒体に対して、動画像、静止画像及び音声信号のデータの記録を指示するため、それぞれ個別に設けた記録操作用のスイッチと、前記記録媒体に記録した動画像、静止画像及び音声信号のデータの再生を指示するため、それぞれ個別に設けた再生操作用のスイッチとを有する操作手段と；前記記録操作用のスイッチの操作に応答して、前記記録媒体のそれぞれの記録領域に動画像、静止画像データ及び音声データを記録するとともに、前記再生操作用のスイッチの操作に応答して、前記記録媒体に記録された対応するデータを読み出すメモリコントローラと；前記記録媒体から読み出されたデータをもとに画像情報及び音声信号を再生するディスプレイ及びスピーカを含む再生部と；を具備したことを特徴とする。
【発明の効果】
【００１１】
本発明によれば、動画像、静止画像、音声信号の記録用に対応した操作ボタンを、テレビジョン受像機の前面部等の操作しやすい位置に配置することで、瞬時に記録開始することができ、画像情報だけでなく音声信号を任意に保存可能である。また、再生操作用のボタンを操作することにより、容易に再生することができ、さらに、転送ボタンを設けることにより、他の機器に転送して再生することができ、利便性の高い情報記録再生装置及びテレビジョン受像機を提供することができる。
【発明を実施するための最良の形態】
【００１２】
以下、この発明の一実施形態について図面を参照して説明する。
【実施例１】
【００１３】
図１は本発明における情報記録再生装置の一実施形態の全体構成を示す構成図であり、図２は本発明におけるテレビジョン受像機の構成を示すブロック図である。
【００１４】
図1において、１０はテレビジョン信号を受信して再生するための受信機であり、例えば据え置き型のテレビジョン受像機である。テレビジョン受像機１０には、家庭用ネットワークやＵＳＢ（Universal Serial Bus）２０等を介してＰＣ３０（パーソナル・コンピュータ）やプリンタ４０等の端末装置が接続可能になっている。また、携帯電話等の携帯端末５０と無線通信ができるようにしている。
【００１５】
テレビジョン受像機１０の本体には動画像、静止画像、音声信号をそれぞれ瞬時に記録保存するための操作ボタン１１，１２，１３が備えられており、図１の例では、動画の瞬時記録用の「VIDEO」ボタン１１と、静止画の瞬時記録用の「PHOTO」ボタン１２と、音声の瞬時記録用の「AUDIO」ボタン１３が設けられている。
【００１６】
また、テレビジョン受像機１０を操作するため、リモートコントローラ６０(以下、リモコン６０と称す)が設けられている。このリモコン６０は、テレビジョン受像機１０の各種の操作、例えばチャンネルキー、音量設定キー、メニューキー等を有し、さらに前記操作ボタン１１，１２，１３の操作によって記録された画像データや音声データの再生を指示するための再生ボタン６１，６２，６３が設けられている。図1の例では、動画再生用の「Ｖ再生」ボタン６１と、静止画再生用の「Ｐ再生」ボタン６２と、音声再生用の「Ａ再生」ボタン６３が設けられており、そのほかに記録したデータを削除するための「削除」ボタン６４や、記録したデータを他の機器に転送するための「転送」ボタン６５が設けられている。
【００１７】
また、テレビジョン受像機１０には、ＨＤＤ（ハードディスクドライブ）等の記録媒体を有し、この記録媒体に動画像、静止画像、音声信号の各データを記録し、再生できるようにしている。これにより、本発明の記録再生装置では、放送番組の視聴中に、「VIDEO」、「PHOTO」、「AUDIO」のいずれかのボタン１１，１２，１３を押すことで、動画像、静止画像、音声信号の各データを独立して瞬時に、かつ、並行して記録開始することができ、上記したＨＤＤにそれぞれの情報を保存できるようにし、「Ｖ再生」、「Ｐ再生」「Ａ再生」のボタン６１，６２，６３を押すことで、各データが再生できるようにしている。
【００１８】
また、リモコン６０に転送ボタン６５を設け、ＨＤＤに記録した画像や音声信号を端末装置３０，４０や携帯端末５０に転送できるようにしている。音声信号の記録・再生には、例えばＭＰ３（MPEG-1 Audio Layer-3）形式による圧縮・伸張方式を用いて記録し、ＭＰ３対応プレーヤで再生が可能である。また、ＷＭＡ、ＷＡＶ等、所望のファイル形式で記録・再生するようにしてもよい。
【００１９】
ここで、動画像の記録が指示された場合は、動画像を構成する画像データと共に、付随する音声の音声データも同時に、一体的に再生、転送および削除が可能に、例えばファイルとして記録するものとする。なお、この際、後述の静止画像または音声信号が既に記録中であっても、その記録データとは別に記録する。
【００２０】
また、静止画像の記録が指示された場合は、動画像を構成する画像データの中から選択された画像データを記録するのであるが、もしそのとき動画像の記録中であっても、それを構成する画像データとは別に、独立して再生、転送および削除が可能に、例えばファイルとして記録する。
【００２１】
同様に、音声信号の記録が指示された場合は、その音声データを独立して再生、転送および削除が可能に記録する。もしそのときに、動画像の記録中であっても、それに付随する音声データとは別に、独立して再生、転送および削除可能に、例えばファイルとして記録する。
【００２２】
このように、同一時点における動画像、静止画像、音声を記録する場合でも、それぞれが独立して記録されるので、所望のデータの再生、転送、削除等の処理が迅速に行えるのである。
【００２３】
前記操作ボタン１１，１２，１３は、主婦や年配者等、操作に不慣れなユーザでも瞬時に操作できるように、本体の前面部に配置し、比較的大きな形状のボタンとすることが望ましい。また、操作ボタン１１，１２，１３は、リモコン６０に設けても良い。但し、リモコン６０に設けた場合は、瞬時操作する場合に、他の操作ボタンと区別しにくいことと、リモコン６０を探す必要があるため、テレビジョン受像機１０の本体の前面部に配置する方が望ましい。
【００２４】
図２は、テレビジョン受像機１０の内部構成を具体的に示したものである。図２において、１０１はアンテナ、１０２はチューナであり、本例ではデジタル放送を受信する場合を説明する。チューナ１０２で受信したデジタル放送信号はデコーダ１０３によって復調され、映像信号は映像信号処理回路１０４を介してディスプレイ１０５に供給される。ディスプレイ１０５としては、プラズマ、液晶、ＣＲＴ等の表示装置が用いられる。また、デコーダ１０３で復調された音声信号は、音声信号処理回路１０６を介してスピーカ１０７に供給される。
【００２５】
また、テレビジョン受像機１０には、前述した操作ボタン１１，１２，１３が設けられ、操作インターファース（Ｉ／Ｆ）１０８を介してユーザ操作による各種の指示が入力され、また、前記リモコン６０からのリモコン信号を受光可能な受光部１０９が設けられ、これら操作Ｉ／Ｆ１０８、受光部１０９からの指示が制御部１１０に入力されるようになっている。制御部１１０は、マイクロプロセッサにて構成され、受像機の動作を制御するＣＰＵのほかに、動作プログラムを記憶したＲＯＭや、各種のデータを記憶可能なＲＡＭを有している。
【００２６】
前記デコーダ１０３には、ＨＤＤ等の記録媒体１１１が接続され、メモリコントローラ１１２の制御の基に、画像データや音声データの書込み、読出しが可能になっている。以下の説明では、記録媒体１１０としてＨＤＤを用いた例を説明する。
【００２７】
メモリコントローラ１１２にはタイマー回路１１３が接続され、タイマー回路１１３は、制御部１１０からの制御のもとにＨＤＤ１１１への記録時間等を調整する。また、オンスクリーンディスプレイ信号を発生するＯＳＤ回路１１４が設けられ、制御部１１０の制御のもとに、ディスプレイ１０５にメニューを表示したり、各種のメッセージ等を表示できるようにしている。
【００２８】
また、メモリコントローラ１１２は、制御部１１０を介して転送制御部１１５に接続され、ＨＤＤ１１１に記録した画像データや音声データを転送部１１６に供給するようにしている。転送部１１６は、ＰＣ３０やプリンタ４０に情報を転送する通信部１１７と、携帯端末５０に情報を送信する送信部１１８を有し、転送部１１６から有線又は無線により画像データや音声データを他の機器に転送できるようにしている。
【００２９】
次に、このような本発明の情報記録再生装置の動作を説明する。先ず、動画像、静止画像、音声信号の記録時の動作について説明する。通常の動作時には、チューナ１０２で受信したチャンネルの映像信号及び音声信号をデコーダ１０３でデコード処理し、ディスプレイ１０５に受信した画像を表示し、スピーカ１０７から音声を再生する。
【００３０】
一方、ユーザは番組を視聴中に記録したい画面になったとき、「VIDEO」、「PHOTO」、「AUDIO」のいずれかの操作ボタン１１，１２，１３を押すことで、任意の瞬間からの動画像、静止画像、音声信号のそれぞれのデータをＨＤＤ１１１の各記録領域に独立して瞬時に記録することができる。
【００３１】
例えば、「VIDEO」ボタン１１を押すと動画像の録画が開始される。動画像はＨＤＤ１１１の動画像記録領域に記録され、ユーザが再度「VIDEO」ボタン１１を押すことにより、動画像の録画が停止する。或いは、タイマー回路１１３によって所定時間、例えば１５分、３０分、４５分、６０分等、予め設定した時間だけ録画を行い、設定した時間が経過した時点で自動的に録画を停止するようにしても良い。
【００３２】
また、ＨＤＤ１１１には常に、視聴チャンネルの画像を一定時間保存するようにし、随時更新しながら記録することで、「VIDEO」ボタン１１が押された瞬間、それ以前の過去数分に遡った動画像も一緒に録画する。これにより、保存したい場面がより確実に録画可能になる。
【００３３】
また、録画する時間をユーザによって予め設定可能にしても良い。例えば、ディスプレイ１０５に動画記録時の時間設定メニューを表示し、１５分、３０分、４５分、６０分等の中からいずれかを選択することで、動画記録時間を選択することができる。あるいは、初期設定によって録画時間を決めるようにしても良い。これにより、「VIDEO」ボタン１１を押すことで決められた時間分だけ録画を行い、再度ボタンを手動で押すことなく録画を終了することができる。
【００３４】
尚、録画時間を設定した場合であっても、再度「VIDEO」ボタン１１が押された場合は、録画を停止するように処理することで、ユーザが任意のタイミングで録画を中止することができる。また、過去何分前までに遡って記録するかをメニュー画面からユーザが設定できるようにしても良い。
【００３５】
次に、静止画像を記録する場合について説明する。保存したい静止画像としては、ディスプレイ画面上に料理番組のレシピや、電話番号、Ｗｅｂアドレス、地図などの情報や、好きなタレントや気に入った風景画等が表示された場合が考えられ、「PHOTO」ボタン１２を押すことにより、表示中の画像が静止画像としてＨＤＤ１１１の静止画記録領域に記録される。この場合も、ＨＤＤ１１１には常に、視聴チャンネルの画像を一定時間記録するようにし、随時更新しながら記録することで、「PHOTO」ボタン１２が押された瞬間、それ以前の過去数秒に遡って静止画像を保存する。これにより、保存したい場面がより確実に記録可能になる。
【００３６】
デジタル放送信号の場合、ＭＰＥＧ２システムでの配信となり、画像はＩピクチャ、Ｐピクチャ、Ｂピクチャから構成されるので、「PHOTO」ボタン１２が押された瞬間から過去数秒間の複数のＩピクチャ（フレーム内符号化画像）をＨＤＤ１１１に記録して保存すると良い。また、複数のＩピクチャの中からいずれかを選択するような処理を追加してもよい。
【００３７】
また、テレビジョン受像機１０に設けた転送部１１６を介してＰＣ３０やプリンタ４０等の端末装置に転送したり、携帯電話等の携帯端末５０に転送することもできる。
【００３８】
さらに、音声信号の記録に関しては、気に入った音楽、ニュース、料理番組、トーク番組等が放送されているときに、「AUDIO」ボタン１３を操作することにより、音声信号のみを符号化しＨＤＤ１１１の音声記録領域に録音して保存する。
【００３９】
この場合も、ユーザが再度「AUDIO」ボタン１３を押すことにより、音声信号の録音が停止する。或いは、タイマー回路１１３によって所定時間、例えば１５分、３０分、４５分、６０分等、予め設定した時間だけ録音を行い、設定した時間が経過した時点で自動的に録音を停止するようにしても良い。尚、録音時間を設定した場合であっても、再度「AUDIO」ボタン１３が押された場合は、録音を停止するように処理することで、ユーザが希望する任意のタイミングで音声の録音を中止することができる。
【００４０】
また、音声信号についても、テレビジョン受像機１０に設けた転送部１１６を介してＰＣ３０や携帯端末５０に転送することができ、家事等をしながら音声を聞くことが可能となる。
【００４１】
また、デジタル放送の場合、ＭＰＥＧ２システムでの配信となるので、音楽の付帯情報が付加されて配信された場合、「AUDIO」ボタン１３を押した瞬間に音声信号とともに付帯情報も記録することが可能となる。テレビジョン受像機１０が送信局と双方向通信ができるように設定されている場合には、その付帯情報を利用してネット経由で対象の楽曲を購入することも可能になる。
【００４２】
以上の記録時の動作を図３のフローチャートを参照して説明する。図３において、ステップＳ１は「VIDEO」ボタン１１、「PHOTO」ボタン１２、「AUDIO」ボタン１３のいずれかが押されたときに、それを判別するステップであり、常時監視しているものとする。これにより、押されたボタンに応じた処理が、即座にかつ並行して実行できる。
「VIDEO」ボタン１１が押された場合は、ステップＳ２に進み、動画像の録画が開始されていない場合には、動画像の録画が開始される。録画が開始されると次のステップＳ３では再度「VIDEO」ボタン１１が押されたか否かが判別され、押されない場合はステップＳ４に進み、録画開始からの経過時間がカウントされる。
【００４３】
ステップＳ３で再度「VIDEO」ボタン１１が押された場合は、ステップＳ５において録画を終了する。また、ステップＳ４で予め設定した時間が経過したことが判別された場合、ステップＳ５において録画を終了する。こうして、ユーザの再操作または、時間の経過により録画を終了する。尚、ステップＳ３，Ｓ４のうち、いずれか一方のステップは省略しても良い。
【００４４】
ステップＳ１で「PHOTO」ボタン１２が押された場合は、ステップＳ６に進み、静止画像の記録が行われ、すぐに記録を終了する。
【００４５】
また、ステップＳ１で「AUDIO」ボタン１３が押された場合は、ステップＳ７に進み、音声信号の録音が開始されていない場合には、音声信号の録音が開始される。録音が開始されると次のステップＳ８では再度「AUDIO」ボタン１３が押されたか否かが判別され、押されない場合はステップＳ９に進み、録音開始からの経過時間がカウントされる。
【００４６】
ステップＳ８で再度「AUDIO」ボタン１３が押された場合は、ステップＳ１０において録音を終了する。また、ステップＳ９で予め設定した時間が経過したことが判別された場合、ステップＳ１０に移行して録音を終了する。こうして、ユーザの再操作または、時間の経過により録音を終了する。尚、ステップＳ８，Ｓ９のうち、いずれか一方のステップは省略しても良い。
【００４７】
尚、以上の説明ではテレビジョン放送信号の受信について説明したが、テレビジョン受像機１０がインターネットに接続可能な場合には、Ｗｅｂ検索などで気に入ったページの情報を受信することもでき、視聴中に動画像、静止画像、音声信号を簡単に記録することが可能となる。
【００４８】
次に、記録した動画像、静止画像及び音声信号を再生又は削除する場合の処理について説明する。
【００４９】
再生、削除する場合は、記録時のように瞬時の操作は必要ではなく、落ち着いて視聴することが多いため、リモコン６０に設けた再生ボタン６１，６２，６３や削除ボタン６４を操作することにより、処理が可能となる。もちろんテレビジョン受像機１０の前面部に再生ボタンを設置することも可能である。尚、途中で再生を終了したい場合は、リモコン６０の終了ボタン（図示せず）を押すことにより、再生を終了することができる。
【００５０】
先ず動画像を再生する場合、リモコン６０の「Ｖ再生」ボタン６１を押すことで、ＨＤＤ１１１に記録保存したファイルの新しいものから順番に選択して再生を行い、次のファイルがある場合は次の動画像を再生する。この場合、１つの動画像の再生が終わる都度、ディスプレイ上に削除するか否かのメッセージを表示し、削除したいときは削除キー６４を押すことにより、削除の処理が行われる。こうして、保存されているファイルの全てについて再生すると再生処理を終了する。
【００５１】
また、動画像を録画する場合に、ＨＤＤ１１１の記録容量が一杯になると、古いファイルから自動的に削除するように設定しても良い。或いは、録画された後、所定期間が経過しても何ら再生操作がされないファイルを自動的に削除するようにしても良い。また、半永久的に保存したいファイルについては、それを識別可能な記号、番号、フラグ等のデータを付加し、不所望に削除されないようにすると良い。
【００５２】
図４は、動画像の再生処理のフローチャートを示したものである。図４において、ステップＳ１１は、「Ｖ再生」ボタン６１が押されたか否かを判別し、押された場合は、動画像ファイルの中から最も新しいファイルを選択し、ステップＳ１２において再生を行う。最初のファイルの再生が終了すると、ステップＳ１３では対象のファイルを削除するか否かのメッセージを表示し、ステップＳ１４では削除ボタン６４が押されたか否かを判別する。
【００５３】
削除ボタン６４が押された場合はステップＳ１５にて削除の処理を行い、削除ボタン６４が押されない場合は、ステップＳ１６において保存処理を行う。ステップＳ１７では、次の動画像ファイルが存在するか否かが判別される。存在する場合はステップＳ１８において、再生中止の操作があるか否かが判別され、続けて再生するかどうかの判断が行われる。続けて再生する場合は、再生処理が実行され、ステップＳ１９で対象のファイルを再生する。以後、ステップＳ１３に戻って処理が繰り返され、最後の動画像までの再生処理が実施される。尚、ステップＳ１７において次の動画像ファイルが無い場合や、ステップＳ１８において再生中止の操作が入った場合はその時点で再生を終了する。
【００５４】
次に静止画像の再生、削除、転送の動作について説明する。静止画像の再生については、リモコン６０の「Ｐ再生」ボタン６２が押されると再生が開始されるが、そのときに他の機器へ転送することもできる。転送はリモコン６０の転送ボタン６５の操作に応答して、転送制御部１１５の制御のもとに行われ、通信部１１７又は送信部１１８を介してＰＣ３０やプリンタ４０、或いは携帯端末５０に転送される。
【００５５】
図５は、静止画像の再生・削除及び転送処理のフローチャートを示すものである。図５において、ステップＳ２１でリモコン６０の「Ｐ再生」ボタン６２が押されたか否かが判別され、「Ｐ再生」ボタン６２が押されると、次のステップＳ２２で転送処理の判別が行われる。ここで転送ボタン６５が押されない場合はステップＳ２３で再生処理が行われ、転送ボタン６５が押されるとステップＳ２４で転送しながら再生が行われる。
【００５６】
再生、転送が終了すると、ステップＳ２５では対象のファイルを削除するか否かのメッセージを表示し、ステップＳ２６では削除ボタン６４が押されたか否かを判別し、削除ボタン６４が押された場合はステップＳ２７にて削除の処理を行い、削除ボタン６４が押されない場合は、ステップＳ２８において保存処理を行う。
【００５７】
さらにステップＳ２９では、次の動画像ファイルが存在するか否かが判別される。存在する場合はステップＳ３０において、続けて再生するかどうかの判断が行われる。ユーザから続けて再生したいという要望がある場合は再生処理が実行され、ステップＳ３１で対象のファイルを再生する。以後、ステップＳ２２に戻って処理が繰り返され、最後の静止画像までの再生又は転送処理が実施される。尚、ステップＳ２９において次の静止画像ファイルが無い場合や、ステップＳ３０において再生中止の操作が入った場合はその時点で再生を終了する。
【００５８】
次に音声信号の再生、削除、転送の動作について説明する。音声信号の再生、削除の動作は、静止画像の再生、削除と同様に行われ、リモコン６０の「Ａ再生」ボタン６３が押されると再生が開始されるが、そのときに他の機器へ転送することもできる。転送はリモコン６０の転送ボタン６５の操作に応答して、転送制御部１１５の制御のもとに行われ、通信部１１７又は送信部１１８を介してＰＣ３０或いは携帯端末５０に転送される。
【００５９】
図６は、音声信号の再生・削除及び転送処理のフローチャートを示すものである。図６において、ステップＳ３２でリモコン６０の「Ａ再生」ボタン６３が押されたか否かが判別され、「Ａ再生」ボタン６３が押されると、次のステップＳ３３で転送処理の判別が行われる。ここで転送ボタン６５が押されない場合はステップＳ３４で再生処理が行われ、転送ボタン６５が押されるとステップＳ３５で転送しながら再生が行われる。
【００６０】
再生、転送が終了すると、ステップＳ３６では対象のファイルを削除するか否かのメッセージを表示し、ステップＳ３７では削除ボタン６４が押されたか否かを判別し、削除ボタン６４が押された場合はステップＳ３８にて削除の処理を行い、削除ボタン６４が押されない場合は、ステップＳ３９において保存処理を行う。
【００６１】
さらにステップＳ４０では、次の音声信号ファイルが存在するか否かが判別される。存在する場合はステップＳ４１において、続けて再生するかどうかの判断が行われる。ユーザから続けて再生したいという要望がある場合は再生処理が実行され、ステップＳ４２で対象のファイルを再生する。以後、ステップＳ３３に戻って処理が繰り返され、最後の音声信号までの再生又は転送処理が実施される。尚、ステップＳ４０において次の音声信号ファイルが無い場合や、ステップＳ４１において再生中止の操作が入った場合はその時点で再生を終了する。
【００６２】
尚、動画像、静止画像又は音声信号の削除や保存を選択する際は、リモコンに削除ボタン６４や保存ボタン（図示せず）を設けてもよいし、ディスプレイ１０５に「削除しますか」というメッセージとともに「はい」、「いいえ」の選択項目を表示し、リモコン６０のカーソルキー等でいずれかを選択するようにしても良い。また、静止画像や音声信号については、ファイルサイズが大きくなることはあまりないので、動画像の記録時のように古いファイルから自動的に削除するという処理を設けなくても良い。あるいは、初期設定により古いファイルから自動的に削除するように設定しても良い。これにより、ＨＤＤ１１１を整理するために削除する手間が省ける。
【００６３】
図７は、転送された静止画像と音声信号を携帯端末５０で受信処理した場合のイメージを表現した図である。携帯端末５０には、液晶画面５１とスピーカ５２が設けられ、液晶画面５１には例えば料理のレシピが表示され、スピーカ５２からは料理の手順を音声で放音することで、レシピを見ながら、音声を聞きつつ料理ができるようになる。
【００６４】
図８は、動画像、静止画像、音声信号等の転送処理に関する他の実施形態を説明するフローチャートである。図８の実施形態は、自動転送モードを有するものであり、画像や音声信号の録画／録音が終了した時点で、自動転送モードが設定されている場合に、予め設定された端末装置又は携帯端末に対して自動的に転送を開始するものである。
【００６５】
例えば、音声信号の自動転送処理について説明すると、ステップＳ４３では録音が終了したか否かが判別され、録音が終了すると、ステップＳ４４では自動転送モードが設定されているか否か判断する。例えば、予め携帯端末５０への自動転送が設定されている場合には、ステップＳ４５で携帯端末５０との間で相互に通信が開始され、録音したファイルデータを転送するモードに移行する。
【００６６】
この転送モードに移行する際、ステップＳ４６では、携帯端末５０の記録部（メモリ）に転送ファイル分の記録容量があるか否かが判断される。記録容量がある場合（ＹＥＳ）は、ステップＳ４９で対象ファイルを転送するが、記録容量が不足する場合（ＮＯ）は、ステップＳ４７で上書きモードが設定されているか否かの判断を行い、ステップＳ４８において、既に記録済みの同等容量のファイルを削除して、ステップＳ４９で対象ファイルのデータを転送する。
【００６７】
上書きモードの設定は、ユーザによって行われ、記録容量が不足する事態が生じたときにユーザの手を煩わせることなく、希望する携帯端末にファイルデータを転送することができる。尚、自動転送モードや上書きモードの設定は、リモコン６０に新たなボタンを追加するか、テレビジョン受像機１０の画面にメニューを表示し、ユーザ操作によりメニュー画面から自動転送モードや上書きモードを選択するようにしても良い。
【００６８】
もちろん、ステップＳ４４で自動転送モードが設定されていない場合（ＮＯ）は、自動転送は行わないし、ステップＳ４７で上書きモードが設定されていない場合は、携帯端末５０の既存ファイルを削除することはしない。また、転送対象の機器電源がオフになっている場合も転送されない。この場合は、テレビジョン受像機１０の画面に、転送不可である旨のメッセージ表示を行うようにしても良い。
【００６９】
また、動画像や静止画像の自動転送を行う場合も、図８のフローチャートと同様の動作を行うが、動画像の自動転送はＰＣ３０に対して行うように設定し、静止画像の自動転送はプリンタ４０に対して行うように設定する等、各種のバリエーションが考えられる。
尚、携帯端末５０としては、携帯電話や、テレビジョン受像機１０からの送信信号を受信するモニタ端末が考えられ、テレビジョン受像機１０のリモコン６０の操作に応答して、静止画像や音声信号を転送し、それを携帯端末５０側で受信できるようにした家庭内装置に適している。
【００７０】
また、動画像、静止画像、音声信号はそれぞれ記録、再生ボタンの操作により、それぞれ個別に記録、再生が可能であるが、動画像の記録時には音声信号も関連付けて記録し、動画像を再生するときに関連する音声を同時に再生するようにすれば、より利便性が高くなる。
【実施例２】
【００７１】
次に本発明の情報記録再生装置又はテレビジョン受像機の他の実施形態について説明する。図９は、記録・再生用の操作スイッチの他の構成を示すものであり、図１０はその操作スイッの動作を説明する図である。
【００７２】
図９の操作スイッチは、スライド式で記録用と再生用の兼用スイッチであり、動画用、静止画用、音声用に３つのスイッチ７１，７２，７３がテレビジョン受像機本体１０の前面部又はリモコン６０に配置されている。そのうちの動画用スイッチ７１の操作方法を図１０を参照して説明する。
【００７３】
図１０において、スイッチ７１は、左端と、中央部と、右端の３点にスライドすることができ、スイッチ７１が図１０（ａ）のように、左端にあるときはＯＦＦの状態にあり、（ｂ）にように中央部にスライドすると録画開始モードとなり、（ｃ）のように左端に戻すと録画終了となる。
【００７４】
また、図１０（ｄ）のように左端から右端にスライドしたときは、再生開始モードとなり、（ｅ）のように左端に戻すと再生終了となる。（ｄ）の位置から（ｅ）の位置に移行する際に中央部を通過するが、短時間に通過した場合は録画モードにならないように設定している。また、（ｂ）の位置にある状態から（ｄ）の位置に移行した場合は、録画を継続しながら録画済みの部分を再生する、いわゆる追っかけ再生モードとなる。
【００７５】
また、スライドスイッチ７１が中央部や右端の位置にあるときに、それぞれ異なる色で発光する自照式スイッチにすることにより、記録モードと再生モードをより一層区別することができる。このようにして、スイッチ７１は録画モードと再生モードに兼用可能となる。また、静止画用のスイッチ７２及び音声用のスイッチ７３も、同様により記録モードと再生モードに兼用可能である。さらに、３点の位置にスライドさせる例を述べたが、４点の位置にスライドさせるようにすることで転送モードを追加することもできる。
【００７６】
図１１は、スライドスイッチに代えてカーソルキーによる記録・再生スイッチの例を示したものである。この場合も動画用、静止画用、音声用に３つのスイッチ８１，８２，８３がテレビジョン受像機本体１０の前面部又はリモコン６０に配置されている。
【００７７】
動画用スイッチ８１は、「ＯＦＦ」、「録画」、「再生」のモードで操作可能であり、静止画用スイッチ８２は、「ＯＦＦ」、「記録」、「再生」、「転送」の４つのモードで操作可能である。また音声用スイッチ８３は、「ＯＦＦ」、「録音」、「再生」、「転送」の４つのモードで操作可能である。各スイッチ８１，８２，８３が、「録画」、「記録」、「録音」又は「再生」のモードにあるときに「ＯＦＦ」の操作がされた場合は、動画像の録画、静止画像の記録、音声信号の録音、又はそれらの再生を終了する。
【００７８】
このように、スライド式あるいは、カーソルキーによるスイッチを利用することにより、操作ボタンの数を削減することが可能となる。また、録画や再生の終了は、ユーザが手動で行なうことも可能であるが、録画設定の場合、予め設定された時間が経過すると自動的に終了するような処理を行うことも可能である。
【００７９】
尚、図９，図１１の実施例において、記録したファイルを削除する場合については、リモコン６０に削除キーを設けることで対処可能である。
【００８０】
以上述べたように、本発明の記録再生装置では、動画像、静止画像、音声信号の記録用に対応した記録操作用ボタンを、テレビジョン受像機１０の前面部等、分かりやすく、かつ操作しやすい位置に配置することで、動画像や静止画像を瞬時に記録開始することができるほか、音声のみの録音も可能であり、３種類の情報の保存処理を同時に行うこともできる。また、再生操作用のボタンを操作することにより、容易に再生することができ、さらに、転送ボタンの操作により、他の機器に転送することができ、テレビジョン受像機から離れた場所で静止画像や音声の再生が可能となる。自動転送モードの設定も可能であり利便性が増す。
【００８１】
したがって、音声のみを家事をしながら聞いたり、動画像を保存し、同時に静止画だけは印刷しておくとか、携帯電話に転送するなどの対応が可能となる。また、ＰＣ５０等に転送できることで、再生するときの場所や時間を限定されることなく自由に視聴することが可能となるなど、利便性を高めることができる。
【００８２】
尚、以上の説明に限定されることなく、種々の変形が可能である。例えば、据え置き型のテレビジョン受像機１０に限らず、携帯型のテレビや、自動車用テレビのほか、テレビジョン信号を受信可能なDVDレコーダ等にも適用することができる。
【００８３】
また、記録や再生又は転送の各モードにあるとき、ＯＳＤ回路１１４から各モードを知らせる文字信号等を発生し、ディスプレイ１０５に現在のモードを表示するようにしても良い。また、記録媒体１１１としてＨＤＤを例に説明したが、そのほかにＤＶＤ−ＲＡＭ等の光ディスクや、半導体メモリ等を用いることができる。また、記録媒体をテレビジョン受像機に着脱可能にし、可搬式とすることで任意の場所で再生することもできる。
【００８４】
さらに、以上の説明では、デジタル放送信号を受信して記録媒体１１１に記録する例を述べたが、アナログ放送信号を受信する場合は、受信した信号をＡ／Ｄ変換処理してデジタル信号に変換して記録し、再生時にＤ／Ａ変換してアナログ信号を再生するようにすれば良い。
【図面の簡単な説明】
【００８５】
【図１】本発明の情報記録再生装置の一実施形態を示す全体構成図。
【図２】同実施形態におけるテレビジョン受像機の構成を説明するブロック図。
【図３】同実施形態における記録処理の動作を説明するフローチャート。
【図４】同実施形態における動画像の再生処理の動作を説明するフローチャート。
【図５】同実施形態における静止画像の再生処理の動作を説明するフローチャート。
【図６】同実施形態における音声信号の再生処理の動作を説明するフローチャート。
【図７】同実施形態における携帯端末での利用形態の一例を示す説明図。
【図８】同実施形態における自動転送処理の動作を説明するフローチャート。
【図９】本発明の情報記録再生装置の他の実施形態における操作スイッチ部分を示す説明図。
【図１０】図９の操作スイッチの動作を説明する説明図。
【図１１】本発明の情報記録再生装置のさらに他の実施形態における操作スイッチ部分を示す説明図。
【符号の説明】
【００８６】
１０…テレビジョン受像機
１１…動画記録用の操作スイッチ
１２…静止画記録用の操作スイッチ
１３…音声記録用の操作スイッチ
３０…パーソナルコンピュータ
４０…プリンタ
５０…携帯端末
６０…リモコン
６１…動画再生用の操作スイッチ
６２…静止画再生用の操作スイッチ
６３…音声再生用の操作スイッチ
７１，７２，７３…記録・再生操作用のスライドスイッチ
８１，８２，８３…記録・再生操作用のカーソルスイッチ
１０１…アンテナ
１０２…チューナ
１０３…デコーダ
１０５…ディスプレイ
１０８…操作インターフェース
１０９…受光部
１１０…制御部
１１１…記録媒体（ＨＤＤ）
１１２…メモリコントローラ
１１３…タイマー回路
１１５…転送制御部
１１６…転送部
１１７…通信部
１１８…送信部
【図１】
2006352485.tif 000003
【図２】
2006352485.tif 000004
【図３】
2006352485.tif 000005
【図４】
2006352485.tif 000006
【図５】
2006352485.tif 000007
【図６】
2006352485.tif 000008
【図７】
2006352485.tif 000009
【図８】
2006352485.tif 000010
【図９】
2006352485.tif 000011
【図１０】
2006352485.tif 000012
【図１１】
2006352485.tif 000013